(57)【要約】      （修正有）【課題】走行中の振動などによってトレイを支持したブラケットが支柱に対してがたついたり脱落したりすることがないようにしたナースカートを提供する。【解決手段】キャスタ１５を備えるベース部１０と、前記ベース部１０に立設された複数の係止孔を有する支柱部１１と、トレイ１３が支持されるトレイ支持部１１０を前記支柱部１１の係止孔に係止爪によって係止するブラケット部１２ｂとを備え、前記ブラケット部１２ｂが前記係止爪の前記係止孔に対する係止状態を強制保持する保持手段１７を具備する。【選択図】図３
2019076126.tif 000002
【特許請求の範囲】
【請求項１】
キャスタを備えるベース部と、前記ベース部に立設された複数の係止孔を有する支柱部と、トレイが支持されるトレイ支持部を前記支柱部の係止孔に係止爪によって係止するブラケット部とを備え、前記ブラケット部が前記係止爪の前記係止孔に対する係止状態を強制保持する保持手段を具備することを特徴とするナースカート。
【請求項２】
トレイ支持部は、ブラケット部と一体に形成されたものか、又はブラケット部とは別体に形成されたものである請求項1に記載のナースカート。
【請求項３】
ブラケット部と一体のトレイ支持部は、前記ブラッケット部を形成するブラケット材が備える係止爪の反対側に、トレイの載置部材として配置された請求項１又は２に記載のナースカート。
【請求項４】
ブラケット部は、支柱部の高さ方向に沿った向きで平行なブラケット材と該ブラケット材同士を連結する結合部を備え、前記結合部に、前記ブラケット材の係止爪を支柱部の係止孔に対して強制保持する保持手段を設けた請求項1〜３のいずれかに記載のナースカート。
【請求項５】
保持手段は、支柱部に向けて正逆回転自在にブラケット材の結合部に螺設した緊締ボルトにより形成した請求項４に記載のナースカート。
【請求項６】
トレイは、物品を載置または収容する略板状、略皿状、略箱状のいずれかの形態、又は容器を吊下支持する略ハンガー状の形態を備える請求項1〜５のいずれかに記載のナースカート。
【発明の詳細な説明】
【技術分野】
【０００１】
本発明は、トレイ支持部のがたつきや脱落を防止できるようにしたナースカートに関する。
【背景技術】
【０００２】
病院等の医療の現場においては、薬剤，医療資材，医療器具，パソコン等の種々の資材や器材を運搬するためにナースカートが使用されている。
ナースカートの一般的形態は、キャスタを有するベース部と、ベース部に立設された支柱部と、該支柱部に支持されるトレイと、前記支柱部の上端部に設けられた天板とを備えたものである。
本発明におけるトレイは、前記資材や器材を載置、収容、係止、吊下できる機能を有している部材で、略板状、略容器状、略ハンガー状等の形態を備えたものをいう。
【０００３】
上記ナースカートについては、装備するトレイへの医療資材等の出し入れを容易にできること、或は積載する医療資材等の量を多くできる形態のトレイを装備できることや、多数のトレイを装備できることを目的として、1本支柱のナースカート（特許文献１〜４参照）が提案されている。因みに、ナースカートにおけるトレイを支持するために設けられている支柱は、２本〜４本のものが多かった。
【０００４】
しかし、1本支柱に支持されるトレイは、トレイの支持形態が、例えば２本支柱に支持されるトレイに比べると、１本支柱での支持であるため特異な支持形態になり、このため清掃や消毒を行う際のトレイの着脱が容易でなかった。トレイの支持形態が特異形態になるのは、使用中、殊に走行中にトレイがトレイ支持部や支柱等の装着部位からずれたり外れたりすることがない支持構造を採っているからである。
【０００５】
ナースカートにおける１本支柱によるトレイの支持形態の例としては、特許文献１〜４による提案がなされているが、いずれの提案技術もトレイがその支持部であるブラケットから容易に外れたりずれたりすることが無いように工夫した技術であって、使用中に前記ブラケットが支柱から外れたりがたついたりすることの防止を目的とした技術ではない。
【０００６】
なお、トレイ支持部のブラケットが使用中に支柱から外れることを防止する技術として、特許文献２の中に、ブラケットに支持されるトレイの後端部と支柱前面とを密接する載置形態にすることによって、ブラケットが使用中の振動等により支柱から外れることを防止できるとする提案がある。
【０００７】
しかし、上記提案技術は、トレイがその支持部であるブラケットに装着支持されていることを前提としているため、トレイのブラケットへの装着時、或はトレイのブラケットからの取り外し時に、ブラケットの係止爪が容易に支柱の係止孔から外れるために、トレイのトレイ支持部（ブラケット）への着脱が却って煩雑になるという問題がある。
【先行技術文献】
【特許文献】
【０００８】
【特許文献１】特開２０１４−１８３８６号公報
【特許文献２】特許第５８５１２０３号公報
【特許文献３】特開２０１７−１２６２０号公報
【特許文献４】特開２０１７−１９６０１号公報
【発明の概要】
【発明が解決しようとする課題】
【０００９】
本発明は、上記のような１本支柱のナースカートに装備されるトレイを支持するブラケットの係止爪と支柱の係止孔によるブラケットの支持において、走行中の振動などによってトレイを支持したブラケットが支柱に対してがたついたり脱落したりすることがないようにしたナースカートを提供することを、課題とする。
【課題を解決するための手段】
【００１０】
上記課題を解決することを目的としてなされた本発明ナースカートの構成は、
キャスタを備えるベース部と、前記ベース部に立設された複数の係止孔を有する支柱部と、トレイが支持されるトレイ支持部を前記支柱部の係止孔に係止爪によって係止するブラケット部とを備え、前記ブラケット部が前記係止爪の前記係止孔に対する係止状態を強制保持する保持手段を具備することを特徴とする。
【００１１】
本発明において前記トレイ支持部は、ブラケット部と一体に形成されたものか、又はブラケット部とは別体に形成されたもののいずれであってもよい。一体に形成するか、別体に形成するかは、トレイを配置する支柱部の周囲の空間の広狭等によって選択する。例えば支柱部の前方は広い空間があるので支柱部の前面側にはトレイ支持部とブラケット部を一体に形成したものを用い、支柱部の後面側は天板下空間が狭いのでトレイ支持部とブラケット部を別体に形成したものを用いる
本発明において、ブラケット部と一体のトレイ支持部は、前記ブラッケット部を形成するブラケット材が備える係止爪の反対側に、トレイの載置部材として配置する。ブラケット部と別体のトレイ支持部は、ブラケット材が備える係止爪の反対側であるブラケット部の前面にトレイの取付部材や支持部材として配置する。
また、前記ブラケット部は、支柱部の高さ方向に沿った向きで平行なブラケット材と該ブラケット材同士を連結する結合部を備え、前記結合部に、前記ブラケット材の係止爪を支柱部の係止孔に対して強制保持する保持手段が設けられており、前記保持手段は、前記支柱部に向けて正逆回転自在に結合部に螺設した緊締ボルトにより形成されている。
【００１２】
本発明におけるトレイは、物品を載置または収容する略板状、略皿状、略箱状のいずれかの形態、又は容器を吊下支持する略ハンガー状などの形態であり、トレイの素材も金属材やプラスチック材、或はこれらの複合材などによる平板体や網体や細棒体等の材料が用いられる。
【発明の効果】
【００１３】
本発明によれば、トレイを支持するブラケット部の係止爪が、支柱部の係止孔での係止において、がたついたり脱落することがないように、ブラケット部に設けた保持手段によって強制保持されるから、トレイを支持するブラケット部が、がたついたり脱落することのないナースカートを提供することができる。
【図面の簡単な説明】
【００１４】
【図１】本発明ナースカートの実施形態の一例における下面側からの斜視図。
【図２】図1のナースカートの正面図。
【図３】図1のナースカートの右側面図。
【図４】図１のＡ部の拡大図。
【図５】図４のＢ−Ｂ矢視断面図。
【図６】図５のＣ−Ｃ矢視断面図。
【図７】トレイを支持するブラケット部の底面側からの斜視図。
【発明を実施するための形態】
【００１５】
次に、本発明ナースカート１について、実施の形態例の図面を参照して説明する。
図１〜図３は、本発明ナースカート１の一例を示す図で、図１は下方から見た斜視図、図２は正面図、図３は右側面図である。図１〜図３の本発明ナースカート１は、ベース部１０と、ベース部１０に立設した支柱部１１と、後述するトレイ支持部の一例として載置部１２を介して支柱部１１に取付けた２個のトレイ１３と、前記支柱部１１の上端部に設けた天板１４とを備えている。
【００１６】
前記ベース部１０は、２本の縦部材１０Ａと、２本の縦部材１０Ａを連結する横部材１０Ｂとを備える。前記縦部材１０Ａと横部材１０Ｂは、平面視略Ｘ状のベース部１０として示されているが、ベース部材１０には、縦部材１０Ａと横部材１０Ｂによって平面視略Ｈ状に形成したものもある。前記縦部材１０Ａの前後方向の端部にはキャスタ１５がそれぞれ設置されている。
【００１７】
本明細書においては、図３の縦部材１０Ａの長手方向を前後方向とし、ナースカート１の押進移動方向（図３の左方）を前方、該前方と反対側を後方とする。また、前記の前後方向に水平面内で直交する方向を左右方向とし、前記水平面に直交する方向を上下方向とする。さらに、支柱部１１に載置部１２を介して支持されるトレイ１３に関しては、図３のトレイ１３を見たとき、ナースカート１の押進移動方向側（図３の左方）を前部とし、該前部の反対側を後部とする。
【００１８】
図示したベース部１０においては、横部材１０Ｂが縦部材１０Ａの長さ方向の中間位置よりも後方側に寄せて設置されている。そして前記横部材１０Ｂの略中央部分に１本の支柱部１１を立設することにより、支柱部１１の前方にトレイ１２の装備空間を広く確保している。また、前記横部材１０Ｂにおいて、支柱部１１が立設された位置の下面側にはストッパ１６が設けられている。なお、支柱部１１の平断面外形は、図５に示したように略円形であるが、支柱部１１の平断面外形は、楕円形や長円形、或は角を丸めた多角形、例えば略矩形等であってもよい。
【００１９】
図１〜図３において、ストッパ１６は、一例として２つのペダル１６ａ，１６ｂと、上下伸長部１６ｃと、回転部１６ｄとを備えている。図１，図３の上位のペダル１６ａを踏むと上下伸長部１６ｃはナースカート１を床面から一例として数ミリ浮かせるように伸びる。回転部１６ｄは上下伸長部１６ｃの下端に設置され、水平面内で回転する。従って、上下伸長部１６ｃが伸びた状態において天板１４を掴んで左右いずれかの方向に回転させると、ナースカート１は回転部１６ｄを中心としてその場において回転する。前記上下伸長部１６ｃを縮小するには、ペダル１６ａを踏んだとき上位側へ変位したペダル１６ｂを下向きに踏み込めばよい。
【００２０】
図１〜図３に示したトレイ１３は、上面を開放した有底の略箱型形状をなす。このトレイ１３は、上から載置して凹凸関係の嵌合で固定される載置部材１２Ａと、該載置部材１２Ａを支柱部１１に結合するブラケット部１２Ｂとを一体状態で備えた載置部１２を介して、支柱部１１に掛止される。前記載置部１２がトレイ支持部の一例である。
【００２１】
図１〜図３の天板１４は、上端面が略平面形状の平面部１４ａと、平面部１４ａの後端部に設けたハンドル１４ｂと、平面部１４ａの前端側に設けた載置物の落下防止柵を兼ねたバンパー部１４ｃを備える。前記ハンドル１４ａに代えて平面部１４ａの外周全域を囲むように形成された膨出部によるハンドル代替部を備えたものもある。ハンドル代替部は、その膨出した部分を手で掴んでナースカート１の押進、後退を操作する。
【００２２】
図１〜図３の支柱部１１は、正面から見て上下方向に複数の係止孔１１ａを略等ピッチで設けた係止孔柱状体１１Ａの２本を平行に備える。係止孔１１ａの孔形状は、縦長スリット状であり、載置部１２のブラケット部１２Ｂの上位の掛止爪１２１と下位の掛止爪１２２が差し込まれて係止されるのに足りる縦幅と奥行きを有する（図６参照）。なお、係止孔１１ａを有する係止孔柱状体１１Ａは、支柱部１１の正面側と背面側に、各２本が平行に設けられているが、３本以上であってもよい。
図１〜図３の支柱部１１において、正面側と背面側に係止孔１１ａを設けた係止孔柱状体１１Ａを配置した外柱１１０の内部には、図示しないが、昇降用のガスシリンダと、該ガスシリンダで昇降するように収装された内柱と、該内柱の昇降をガイドする昇降用ガイドレールと、該ガイドレールに案内保持される内柱の支持ローラとが配置されている。
【００２３】
本発明ナースカート１が、トレイ支持部の一例である載置部１２を介して着脱自在に装備するトレイ１３は、上面が開放された平面視略矩形の浅底箱状をなし、底壁１３ａと、該底壁１３ａの外周を囲むように形成された立壁状の周壁１３ｂと、載置部材１２Ａの四隅を抱持するように底壁１３ａの下面に下向きに設けた抱持立壁１３ｃと、前記抱持立壁１３ｃの近傍で載置部材１２Ａの四隅近傍に設けた係合穴１２ａに嵌る係合凸部１３ｄを有する。
【００２４】
図７に下面からの斜視図で示す前記載置部１２は、載置部材１２Ａと２枚のブラケット材１２ｂによるブラケット部１２Ｂを一体に備えている。
載置部材１２Ａは、正面から見て浅い略逆ハット状の板部材で形成され、トレイ１３の底壁１３ａの下面に設けた係合凸部１３ｄを嵌合する４つの係合穴１２ａを、この載置部材１２Ａの略四隅近傍に備えている。
前記載置部材１２Ａの後端側の中心部寄りには、当該載置部材１２Ａの水平面に直交した垂直姿勢でトレイ１３の前後方向に平行な向きの２枚のブラケット材１２ｂを主体とするブラケット部１２Ｂが溶接等によって載置部材１２Ａと一体化して配置されている。
【００２５】
前記のようにブラケット部１２Ｂは、支柱部１１の高さ方向に沿った立ち姿勢で平行な２枚のブラケット材１２ｂ，１２ｂを備えているが、前記ブラケット材１２ｂ，１２ｂの後方側には、爪を後方に向けた上位の係止爪１２１と下位の係止爪１２２が設けられている。
また、前記ブラケット部１２Ｂのブラケット材１２ｂ、１２ｂは、図示した例では、前方側の下部が、両ブラケット材１２ｂ、１２ｂを結合する結合部として略帯状の結合部材１２ｃによって結合されている。
結合部材１２ｃは、図５に例示するように、支柱部１１の外面に干渉しない浅目の略湾曲状、或は低い略山型状をなし、両端部が溶接等によって前記ブラケット材１２ｂに結合されている。前記ブラケット部１２Ｂには、ブラケット材１２ｂと結合部材１２ｃが１枚の板材で一体に形成されたものもある。
【００２６】
前記ブラケット部１２Ｂにおいて、結合部材１２ｃの略中央部には、支柱部１１の中心に向かう方向に沿ったボルト穴１２ｄが設けられ、このボルト穴１２ｄに、操作ノブ１７ａを有する緊締ボルト１７が螺装されている（図５、図６参照）。
【００２７】
上記ブラケット部１２Ｂは、２枚のブラケット材１２ｂと結合部材１２ｃとを後から結合した形態の結合型のブラケット部１２Ｂであるが、本発明ではブラケット材１２ｂと結合部材１２ｃとを一体の材料で形成した平断面略コ状に形成した一体型のブラケット部１２Ｂを使用することができる。一体型のブラケット部１２Ｂでは、左右のブラケット材１２ｂを繋いだ結合部（結合部材１２ｃに相当する部位）の略中央に緊締ボルト１７が螺装される。
また、ブラケット部１２Ｂのブラケット材１２ｂと結合部材１２ｃは、一体化したものではなく分離できるタイプであってもよい。例えば、２枚のブラケット材１２ｂ、１２ｂの前方の外面に夫々に凸部を設ける一方、結合部材１２ｃの先端部に前記２つの凸部に嵌合する穴又は凹部を形成しておき、結合部材１２ｃの穴又は凹部を、ブラケット材１２ｂの凸部に嵌合させて結合させる方式のものである。
【００２８】
本発明の図示した実施形態例では、前記ブラケット部１２Ｂの前方側にトレイを支持する載置部材１２Ａが溶接等によって一体に設けられて、トレイ支持部の一例として載置部１２に形成されている。
本発明では、図示しないが、ブラケット部１２Ｂとトレイ支持部（載置部材１２Ａ）を別体に形成したものも使用できる。例えば、トレイ１３を支持する
トレイ支持部としてアーム状の取付部材や支持部材を別途用意し、この取付部材や支持部材をブラケット部１２Ｂの前面にビス止め等によって固定する形態である。
【００２９】
以上のように形成される本発明におけるブラケット部１２Ｂの支柱部１１への装着態様は、次の通りである。
まず操作ノブ１７ａを逆転させ緊締ボルト１７を後退させた状態で、トレイ支持部である載置部１２を、そのブラケット部１２Ｂの上，下位の係止爪１２１，１２２を対応する係止孔１１ａに係止させて支柱部１１に仮止めする。因みに、従来の支柱部の係止孔にブラケットの係止爪を係止させて、トレイと一体のブラケット、又はトレイを支持したブラケットを支柱部に支持させる態様は、すべてこの仮止め状態である。それ故に、使用時に振動等の外力を受けると、トレイ脱落などの問題が生じていた。
【００３０】
本発明では、この仮止め状態を固定できるようにした。すなわち、前記仮止め状態から前記操作ノブ１７ａを正転させて緊締ボルト１７をボルト穴１２ｄにおいて進出させる。そうすると前記ボルト１７の先端１７ｂが支柱部１１の外柱１１０の外面に当接する。前記緊締ボルト１７の先端１７ｂが支柱部１１の外柱１１０の外面に当接しても、前記操作ノブ１７ａをなお正転させると、緊締ボルトの先端１７ｂは外柱１１０の外面に圧接し、この圧接の反作用で結合部材１２ｃの両端部が、結合されている２枚のブラケット材１２ｂ、１２ｂを前方側へ引張ることになる（図５、図７参照）。
【００３１】
２枚のブラケット材１２ｂが前方へ引張られると、上，下位の係止爪１２１，１２２の背面１２１ａ，１２２ａが、係止孔１１ａの内面壁に圧接されて密着することになるから、この状態で前記操作ノブ１７ａの正転を止めると、前記係止爪１２１，１２２はそれらが係止されている係止孔１１ａから離脱することができないことは勿論、がたつくことも全くない。
ブラケット部１２Ｂの係止爪１２１，１２２を係止孔１１ａから離脱させるには、前記操作ノブ１７ａを逆転させれば離脱可能になる。
上記において、緊締ボルト１７の先端１７ｂには合成樹脂製等の緩衝部材を設け、当該ボルト１７の先端１７ｂが外柱１１０の外面に当接するとき、この外柱１１０の表面を傷付けたり、外柱１１０と前記先端１７ｂの間で金属音が生じるのを防ぐようにすることが好ましい。
【００３２】
本発明は以上の通りであって、トレイ支持部と一体のブラケット部の係止爪、或はトレイ支持部と別体のブラケット部の係止爪の何れであっても、支柱部の係止孔に係止される前記係止爪を、保持手段によって前記係止孔に強制保持するから、１本支柱のナースカートにおける支柱部に対するトレイの支持において、前記ブラケット部の係止爪が支柱部の係止孔に対してがたついたり脱落することがないナースカートを提供することができる。また、本発明のがたつき・脱落防止の構造はシンプルゆえに、緊締ボルトを回転させるだけの簡単な操作でブラケット部のがたつき・脱落を防止することができる。
【００３３】
以上の説明はトレイ支持部である載置部がブラケット部を介して１本の支柱部に片持ち梁状態で支持される例についてであるが、前記載置部はブラケット部を介して左右２本の支柱部に支持されるものであっても、本発明を適用することができる。
【符号の説明】
【００３４】
１  ナースカート
１０  ベース部
１０Ａ  縦部材
１０Ｂ  横部材
１１  支柱部
１１ａ  係止孔
１１Ａ  係止孔柱状体
１１０  外柱
１２  載置部
１２Ａ  載置部材
１２Ｂ  ブラケット部
１２ｂ  ブラケット材
１２１，１２２  上，下位の係止爪
１２ｃ  結合部材
１２ｄ  ボルト穴
１３  トレイ
１４  天板部
１５  キャスタ
１６  ストッパ
１７  緊締ボルト
１７ａ  操作ノブ
１７ｂ  緊締ボルトの先端
【図１】
2019076126.tif 000003
【図２】
2019076126.tif 000004
【図３】
2019076126.tif 000005
【図４】
2019076126.tif 000006
【図５】
2019076126.tif 000007
【図６】
2019076126.tif 000008
【図７】
2019076126.tif 000009